(57)【特許請求の範囲】
【請求項１】
所定の単位長の２つの横杆と、該２つの横杆を平行に連結する少なくとも１つの縦杆と、該縦杆に並設され、且つ上記２つの横杆間に斜めに連結された補強杆とを備えた単位長トラスを連設し、該単位長トラスの横杆を連結部材で連結するとともに、前記横杆の両端近傍には夫々異なる間隔で長手方向に少なくとも２つの貫通孔を形成し、前記連結部材は断面略Ｕ字状で連続して配置した前記単位長トラスの連結部分を覆うように挟着可能に形成し、両側面の両端近傍には上記横杆に形成された貫通孔と同じ間隔で係止孔を形成し、固定ピンで上記横杆と上記連結部材とを固定することを特徴とする長尺トラスの構築方法。
【発明の詳細な説明】
【０００１】
【発明の属する技術分野】
本発明は、単位長のトラスを連結して長尺のトラスを構築する長尺トラスの構築方法に関する。
【０００２】
【従来の技術】
従来、建造物を構築する際に予め組み立てて建造物の完成まで構造体の補強や補助を目的として使用されるトラスは、２つの横杆に直交して多数の縦杆を連結させ、さらに、補強を目的として上記縦杆に並設して横杆間に斜めに補強杆を連結したものが使用されている。
【０００３】
【発明が解決しようとする課題】
しかしながら、従来のトラスは長尺になるために、運搬、組み立て、分解のいずれの工程においても取扱いに労力を必要とするとともに、予め現場の状況に合わせて製造する必要があり、汎用性に欠ける問題があった。
【０００４】
本発明は上記問題点を解消し、汎用性に優れ、運送、組み立て、分解のいずれの工程においても効率の優れた長尺トラスの構築方法を提供することをその課題とする。
【０００５】
【課題を解決するための手段】
前記課題を解決するため、本発明に係る長尺トラスの構築方法は、所定の単位長の２つの横杆と、該２つの横杆を平行に連結する少なくとも１つの縦杆と、該縦杆に並設され、且つ上記２つの横杆間に斜めに連結された補強杆とを備えた単位長トラスを連設し、該単位長トラスの横杆を連結部材で連結するとともに、前記横杆の両端近傍には夫々異なる間隔で長手方向に少なくとも２つの貫通孔を形成し、前記連結部材は断面略Ｕ字状で連続して配置した前記単位長トラスの連結部分を覆うように挟着可能に形成し、両側面の両端近傍には上記横杆に形成された貫通孔と同じ間隔で係止孔を形成し、固定ピンで上記横杆と上記連結部材とを固定することを特徴とする。
【０００６】
【発明の実施の形態】
以下、図面によって本発明の実施の形態について説明する。
【０００７】
図１は単位長トラスの一例を示し、この単位長トラス１は金属製で所定の単位長（１８００ミリ）の２つの横杆２と、該２つの横杆２に直交するとともに、２つの横杆２を平行に連結する２つの縦杆３と、該縦杆３に並設され上記２つの横杆２間に斜めに連結された２つの補強杆４とで構成されている。
【０００８】
上記横杆２の両端近傍の前後面にわたって後述の固定ピン１２が貫通する貫通孔５が長手方向に２つづつ形成され、２つの貫通孔５の間隔は左端の間隔Ｔ１と、右端の間隔Ｔ２とでは異なって形成されている。
【０００９】
なお、端部側の貫通孔５と端部との間隔Ｔ３はＴ２の１／２に設定され、本実施の形態においてはＴ１＝４０ミリ、Ｔ２＝６０ミリ、Ｔ３＝３０ミリに設定されている。
【００１０】
また、上記横杆２には向かい合ってブレース（交差筋交い）を係止するブレースピン７が配置され、このブレースピン７には係止したブレースが外れないように抜け止めが出没自在に設けられている。
【００１１】
縦杆３には左右側面に所定間隔をもって貫通孔８が形成され、この貫通孔８には着脱自在なブレースピン９が装着されるように設けられている。
【００１２】
図２は連結部材の一例を示し、この連結部材１０は金属製で断面略Ｕ字状に形成され、側面の両端側に固定ピンを取り付ける係止孔１１が２つづつ形成され、２つの係止孔１１の間隔Ｈ１、Ｈ２は上述の横杆２に形成された貫通孔５の間隔Ｔ１、Ｔ２と等しく形成されている。
【００１３】
なお、２つの係止孔１１の間隔Ｈ３は単位長トラス１と単位長トラス１とを連結した時の接続部の間隔によって決定すればよく、単位長トラス１と単位長トラス１とを密着させて連結する場合の連結部材１０における間隔Ｈ３はＴ３の２倍に設定すればよい。
【００１４】
固定ピン１２は図３に示すようにピン本体１３と、係止部材１４とで構成されている。
【００１５】
ピン本体１３は金属製の円柱状で前端は円錐台状に形成され、後端にはピン本体１３に直交して抜け防止用の円板状の鍔１５が形成されている。
【００１６】
係止部材１４は弾性を有する合成樹脂製で、基部１６にはピン本体１３が嵌入する嵌入孔１７が形成されるとともに、両側部には係止ピン１８が嵌め込まれる嵌合孔１９が形成されている。そして、板状の係止片２０はピン本体１３の先端に向かって外開きに形成されるとともに先すぼまりに湾曲して形成され、全体として円弧状をなしている。
【００１７】
なお、上記係止片２０にはステンレス等の金属製の板を湾曲して形成したものを使用してもよい。
【００１８】
また、係止片２０の外側面と基部１６との間には係止片２０を補強する補強片２１が形成され、この補強片２１には鎖を連結する連結孔２２が形成されている。
【００１９】
上記連結孔２２に鎖の一端を連結し、他端を近傍の構造物に適宜手段で固定しておくことにより、落下を防止するように設けられている。
【００２０】
上述のように単位長トラス１と、連結部材１０とは構成されているので、図４（ａ）に示すように、１つの単位長トラス１の横杆２の一端に、他の単位長トラス１’の横杆２の一端を当接し、横杆２と横杆２との連結部分を覆うように上方と下方とから夫々連結部材１０を単位長トラス１に挟着させる。連結部材１０の側面には横杆２に形成された貫通孔５に対応する位置に係止孔１１が形成されているので、図４（ｂ）に示すように、固定ピン１２の先端を一方の係止孔１１から貫通孔５を貫通させ、反対側の係止孔１１から突出させて係止部材１４の係止片２０で挟むようにして固定することにより、連結部材１０を単位長トラス１の横杆２に固定するとともに、該単位長トラス１、１’を連結することができる（図４（ｃ）参照）。
【００２１】
上述のように連続して配置された単位長トラスを連結部材で順次連結することにより、現場で長尺のトラスを構築することができる。
【００２２】
また、連結部材１０は単位長トラス１を連結する機能に加え、単位長トラス１の連結方向を決定するキーとしての機能を併せ持っている。このキーとしての機能は図５（ａ）に示すように単位長トラス１に次の単位長トラス１’を正しく連結した場合は、図５（ｂ）に示すように連結部材１０の係止孔１１と、横杆２の貫通孔５とが全て一致するので、全ての固定ピンを取り付けることができる。
【００２３】
しかし、図５（ｃ）に示すように単位長トラス１に次の単位長トラス１’を間違って連結した場合は、図５（ｄ）に示すように貫通孔５の間隔が連結部材１０の係止孔１１の間隔と異なるために、全ての係止孔１１と、貫通孔５とが一致しないので、全ての固定ピンを取り付けることができなくなり、連結方向の間違いを作業者に認識させることができる。このことにより、単位長トラスを連結する際の方向性を確立でき、補強杆４の向きを一定にすることができ構築した長尺のトラスの強度を全面にわたって均一化することができる。
【００２４】
なお、横杆の長さを変えた単位長トラスを複数種類組み合わせてトラスを構築してもよい。
【００２５】
図６（ａ）に示す単位長トラス２１は横杆２２の長さを９００ミリに設定したもので、この横杆２２には該２つの横杆２２に直交するとともに、２つの横杆２２を平行に連結する１つの縦杆２３と、該縦杆２３に並設され上記２つの横杆２２に斜めに連結された１つの補強杆２４とで構成され、図６（ｂ）に示す単位長トラス３１は横杆３２の長さを６００ミリに設定したもので、この横杆３２には該２つの横杆３２に直交するとともに、２つの横杆３２を平行に連結する１つの縦杆３３と、該縦杆３３に並設され上記２つの横杆３２に斜めに連結された１つの補強杆３４とで構成されている。
【００２６】
また、図７（ａ）に示すように連結部材４１の係止孔１１の間隔Ｈ３を大きくしてもよいし、図７（ｂ）に示すように連結部材４２の係止孔１１の下方に第２の係止孔１１ａを形成し、縦杆３に形成した貫通孔５ａに固定ピンで固定するようにしてもよい。このことにより連結部材４２が横杆２と縦杆３とに固定されるので、連結強度をさらに強化することができる。
【００２７】
上述のように異なる長さの単位長トラスを予め作成しておき、現場でトラスを構築する際に長さの異なる単位長トラスを組み合わせることにより、全体の長さの調整が可能となり任意の長さのトラスを構築することができるので、単位長トラスの製造段階では現場の状況を考慮することなく同一形状の単位長トラスを大量に製造することができる。
【００２８】
また、運搬段階では長尺のトラスを運搬する必要がなく、短く形成された単位長トラスを運搬すればよいのでトラック等の運送手段に効率よく積載することができる。
【００２９】
さらに、現場における組み立て、分解の段階では１つの単位長トラスの重量の軽量化を図ることができるので取扱作業が楽になるとともに、作業中の安全性も併せて確保することができるとともに、固定ピンで連結部材と単位長トラスとを簡単に固定できるので、ボルトとナットとによる固定方法に比べて作業効率を格段に向上させることができる。
【００３０】
なお、上述の説明では長尺トラスの構築方法について述べたが、この構築方法はトラスに限定されるものではなく建枠として使用することも可能である。
【００３１】
【発明の効果】
請求項１の発明によれば、所定の単位長の横杆で形成された単位長トラスを連設し、連結部材で連結することにより任意の長さのトラスを現場で構築することができるので、汎用性に優れるとともに、運搬、組み立て及び分解のいずれの工程においても取扱に優れ、作業効率の向上を図ることができる。
【００３２】
また、単位長トラスを連結する際の方向性を確立でき、補強杆の向きを一定にすることができ構築した長尺のトラスの強度を全面にわたって均一化することができる。
【図面の簡単な説明】
【図１】  単位長トラスの構成を示す正面図及び右側面図
【図２】  連結部材の構成を示す正面図及び右側面図
【図３】  固定ピンの構成を示す斜視図
【図４】  （ａ）（ｂ）（ｃ）は単位長トラスの連結を説明する斜視図、要部拡大斜視図及び固定ピンの使用状態を説明する側面図
【図５】  （ａ）（ｂ）（ｃ）（ｄ）は単位長トラスの連結方向を説明する正面図
【図６】  （ａ）（ｂ）は単位長トラスの他の例を示す正面図
【図７】  （ａ）（ｂ）は連結部材の他の例を示す正面図
【符号の説明】
１  単位長トラス
２  横杆
３  縦杆
４  補強杆
５  貫通孔
１０  連結部材
１１  係止孔
【図１】
0003658073.tif 000002
【図２】
0003658073.tif 000003
【図３】
0003658073.tif 000004
【図４】
0003658073.tif 000005
【図５】
0003658073.tif 000006
【図６】
0003658073.tif 000007
【図７】
0003658073.tif 000008